(57)【要約】リソース構成方法、決定方法及びその装置、並びに通信システムを提供する。該リソース構成装置は、各制御リソースセット又は各制御リソースセットグループに対応する１つ又は複数の追加リソースセットを構成する第１構成部を含む。これによって、ダウンリンク制御情報のペイロードを低減することができ、従来の問題を解決することができる。【選択図】図２
2020533844.tif 000002
【特許請求の範囲】
【請求項１】
リソース構成装置であって、
各制御リソースセット又は各制御リソースセットグループに対応する１つ又は複数の追加リソースセットを構成する第１構成手段、を含む、装置。
【請求項２】
ユーザ装置の全ての制御リソースセット、及び各制御リソースセットに対応する１つ又は複数の追加リソースセットを第１所定数のグループに分け、或いは、
前記ユーザ装置の全ての制御リソースセット、及び各制御リソースセットグループに対応する１つ又は複数の追加リソースセットを第１所定数のグループに分けるグループ分け手段、をさらに含む、請求項１に記載の装置。
【請求項３】
無線リソース制御シグナリングを介して、ユーザ装置に、構成された前記追加リソースセットを通知する第１送信手段、をさらに含む、請求項１又は２に記載の装置。
【請求項４】
前記無線リソース制御シグナリングの情報要素は、各制御リソースセット又は各制御リソースセットグループの情報、及び各制御リソースセット又は各制御リソースセットグループに対応するように構成された１つ又は複数の追加リソースセットの情報を含む、請求項３に記載の装置。
【請求項５】
前記情報要素は、各制御リソースセット又は各制御リソースセットグループの所在するグループの第１グループインデックス、及び各制御リソースセット又は各制御リソースセットグループに対応するように構成された１つ又は複数の追加リソースセットの所在するグループの第１グループインデックスをさらに含む、請求項４に記載の装置。
【請求項６】
前記追加リソースセットにおいて実行される動作を示す指示情報、又は前記制御リソースセット及び追加リソースセットにおいて実行される動作を示す指示情報を構成する第２構成手段、をさらに含む、請求項１又は２に記載の装置。
【請求項７】
前記実行される動作は、レートマッチング又はデータマッピングを含む、請求項６に記載の装置。
【請求項８】
前記制御リソースセットにおける物理ダウンリンクチャネルを介して前記指示情報を送信する、請求項６に記載の装置。
【請求項９】
前記指示情報は、第２所定数のビットである、請求項８に記載の装置。
【請求項１０】
前記第２所定数は、１つの制御リソースセット又は１つの制御リソースセットグループに対応する追加リソースセットの数に等しく、或いは前記対応する追加リソースセットの数に１を加算して得られた数に等しく、或いは前記対応する追加リソースセットの数に１つの制御リソースセットグループにおける制御リソースセットの数を加算して得られた数に等しく、或いは
前記第２所定数は、異なる制御リソースセット又は異なる制御リソースセットグループに対応する異なる追加リソースセットの数のうちの最大値に等しく、或いは異なる制御リソースセット又は異なる制御リソースセットグループに対応する異なる追加リソースセットの数のうちの最大値に１を加算して得られた数に等しく、或いは異なる制御リソースセットグループに対応する異なる追加リソースセットの数のうちの最大値に１つの制御リソースセットグループにおける制御リソースセットの数を加算して得られた数に等しく、或いは
前記第２所定数は、前記第１所定数に等しい、請求項９に記載の装置。
【請求項１１】
前記第２所定数のビットにおける所定位置の各ビットは、各制御リソースセット又は各制御リソースセットグループに対応するように構成された１つ又は複数の追加リソースセットにおいて実行される動作をそれぞれ示し、或いは
前記第２所定数のビットにおける所定位置の各ビットは、各制御リソースセット又は各制御リソースセットグループ、及び各制御リソースセット又は各制御リソースセットグループに対応するように構成された１つ又は複数の追加リソースセットにおいて実行される動作をそれぞれ示し、或いは
前記第２所定数のビットにおける各ビットは、各制御リソースセット又は各制御リソースセットグループ、及び各制御リソースセット又は各制御リソースセットグループに対応するように構成された１つ又は複数の追加リソースセットの所在するグループにおける全てのリソースセットにおいて実行される動作をそれぞれ示す、請求項９に記載の装置。
【請求項１２】
リソース決定装置であって、
ネットワーク側により構成された各制御リソースセット又は各制御リソースセットグループに対応する１つ又は複数の追加リソースセットを決定する第１決定手段と、
各制御リソースセット又は各制御リソースセットグループに対応する１つ又は複数の追加リソースセットにおいて対応する動作を実行する処理手段と、を含む、装置。
【請求項１３】
前記制御リソースセットにおける物理ダウンリンクチャネルを検出し、各制御リソースセット又は各制御リソースセットグループ、及び各制御リソースセット又は各制御リソースセットグループに対応する１つ又は複数の追加リソースセットにおいて実行される動作を決定する第２決定手段、をさらに含み、
前記処理手段は、該決定手段により決定された前記動作に基づいて、前記追加リソースセットにおいて対応する動作を実行する、請求項１２に記載の装置。
【請求項１４】
リソース構成方法であって、
ネットワーク側が各制御リソースセット又は各制御リソースセットグループに対応する１つ又は複数の追加リソースセットを構成するステップ、を含む、方法。
【請求項１５】
ユーザ装置の全ての制御リソースセット、及び各制御リソースセットに対応する１つ又は複数の追加リソースセットを第１所定数のグループに分け、或いは、
前記ユーザ装置の全ての制御リソースセット、及び各制御リソースセットグループに対応する１つ又は複数の追加リソースセットを第１所定数のグループに分けるステップ、をさらに含む、請求項１４に記載の方法。
【請求項１６】
無線リソース制御シグナリングを介して、ユーザ装置に、構成された前記追加リソースセットを通知するステップ、をさらに含む、請求項１４又は１５に記載の方法。
【請求項１７】
前記無線リソース制御シグナリングの情報要素は、各制御リソースセット又は各制御リソースセットグループの情報、及び各制御リソースセット又は各制御リソースセットグループに対応するように構成された１つ又は複数の追加リソースセットの情報を含む、請求項１６に記載の方法。
【請求項１８】
前記情報要素は、各制御リソースセット又は各制御リソースセットグループの所在するグループのグループインデックス、及び各制御リソースセット又は各制御リソースセットグループに対応するように構成された１つ又は複数の追加リソースセットの所在するグループのグループインデックスをさらに含む、請求項１７に記載の方法。
【請求項１９】
前記制御リソースセット及び前記追加リソースセットにおいて実行される動作を示す指示情報を構成するステップ、をさらに含む、請求項１４又は１５に記載の方法。
【請求項２０】
前記制御リソースセットにおける物理ダウンリンクチャネルを介して前記指示情報を送信する、請求項１９に記載の方法。
【発明の詳細な説明】
【技術分野】
【０００１】
本発明は、通信分野に関し、特にリソース構成方法、決定方法及びその装置、並びに通信システムに関する。
【背景技術】
【０００２】
例えば５Ｇ、新無線（ＮＲ：Ｎｅｗ  Ｒａｄｉｏ）システムなどの将来の無線通信システムでは、ネットワーク側でユーザ装置（ＵＥ：Ｕｓｅｒ  Ｅｑｕｉｐｍｅｎｔ）のために制御リソースセット（ＣＯＲＥＳＥＴ：ｃｏｎｔｒｏｌ  ｒｅｓｏｕｒｃｅ  ｓｅｔ）を構成し、ＵＥ側でビームスイープを行った後に、制御リソースセットにおける物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を検出する必要があり、検出されたＰＤＣＣＨのスケジューリング指示要素に従って、物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）によってキャリーされたダウンリンクデータを受信し、或いは物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）によりキャリーされたアップリンクデータを送信する。
【０００３】
なお、背景技術に関する上記の説明は、単なる本発明の構成をより明確、完全に説明するためのものであり、当業者を理解させるために説明するものである。これらの構成が本発明の背景技術の部分に説明されているから当業者にとって周知の技術であると解釈してはならない。
【発明の概要】
【発明が解決しようとする課題】
【０００４】
現在の議論では、ＰＤＳＣＨを介して制御リソースを使用することで、より高い周波数効率及び／又はより低いレイテンシを得ることができる。このため、上記のＣＯＲＥＳＥＴを構成した後に、ＵＥのために追加リソースセットをさらに構成してもよい。また、ＰＤＣＣＨにおけるダウンリンク制御情報により示される上記のＣＯＲＥＳＥＴ及び追加リソースセットにおいて実行される動作は、「レートマッチング（ｒａｔｅ  ｍａｔｃｈｉｎｇ）」又は「データマッピング（Ｍａｐｐｉｎｇ）」である。
【０００５】
現在の議論では、上記の追加リソースセットはＵＥ固有（ＵＥ−ｓｐｅｃｉｆｉｃ）の方式で構成され、即ち追加リソースセットは固有のＵＥに対応する。このため、ＵＥが複数のＣＯＲＥＳＥＴを検出するように構成されている場合、各ＣＯＲＥＳＥＴにおけるＰＤＣＣＨにおけるダウンリンク制御情報は、該ＵＥについて構成された全ての上記の追加リソースセットを示す必要があるが、各ＣＯＲＥＳＥＴにおけるＰＤＣＣＨによりスケジューリングされるリソースは異なる場合があるため、上記の指示方式ではダウンリンク制御情報のオーバーヘッドが増加してしまう。
【０００６】
上記の問題を解決するために、本発明の実施例は、ダウンリンク制御情報のペイロードを低減することができ、従来の問題を解決することができるリソース構成方法、決定方法及びその装置、並びに通信システムを提供する。
【課題を解決するための手段】
【０００７】
本実施例の第１態様では、リソース構成装置であって、各制御リソースセット又は各制御リソースセットグループに対応する１つ又は複数の追加リソースセットを構成する第１構成手段、を含む、装置を提供する。
【０００８】
本実施例の第２態様では、リソース決定装置であって、ネットワーク側により構成された各制御リソースセット又は各制御リソースセットグループに対応する１つ又は複数の追加リソースセットを決定する第１決定手段と、各制御リソースセット又は各制御リソースセットグループに対応する１つ又は複数の追加リソースセットにおいて対応する動作を実行する処理手段と、を含む、装置を提供する。
【０００９】
本実施例の第３態様では、リソース構成方法であって、ネットワーク側が各制御リソースセット又は各制御リソースセットグループに対応する１つ又は複数の追加リソースセットを構成するステップ、を含む、方法を提供する。
【００１０】
本実施例の第４態様では、リソース決定方法であって、ネットワーク側により構成された各制御リソースセット又は各制御リソースセットグループに対応する１つ又は複数の追加リソースセットを決定するステップと、各制御リソースセット又は各制御リソースセットグループに対応する１つ又は複数の追加リソースセットにおいて対応する動作を実行するステップと、を含む、方法を提供する。
【００１１】
本発明の実施例の有利な効果としては、各制御リソースセット又は各制御リソースセットグループに対応する１つ又は複数の追加リソースセットを構成し、即ち制御リソースセット固有の追加リソースセットを構成することで、ダウンリンク制御情報のペイロードを低減することができ、従来の問題を解決することができる。
【００１２】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００１３】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００１４】
なお、本文では、用語「含む／有する」は、特徴、部材、ステップ又は構成要件が存在することを意味し、一つ又は複数の他の特徴、部材、ステップ又は構成要件の存在又は付加を排除しない。
【図面の簡単な説明】
【００１５】
本発明の実施例の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【００１６】
含まれる図面は、本発明の実施例をさらに理解するために用いられ、明細書の一部を構成し、本発明の実施形態を例示するために用いられ、文言の記載と共に本発明の原理を説明する。なお、以下に説明される図面は、単なる本発明の一部の実施例であり、当業者にとっては、これらの図面に基づいて他の図面を容易に想到できる。
【図１】従来技術で構成された追加リソースセットを示す図である。
【図２】実施例１に係るリソース構成方法のフローチャートである。
【図３Ａ】実施例１に係る構成された追加リソースセットを示す図である。
【図３Ｂ】実施例１に係る構成された追加リソースセットを示す図である。
【図４】実施例１に係る構成された追加リソースセットを示す図である。
【図５】実施例２に係るリソース構成方法のフローチャートである。
【図６】実施例３に係るリソース決定方法のフローチャートである。
【図７】実施例４に係るリソース構成装置の構成を示す図である。
【図８】実施例５に係るネットワーク装置の構成を示す図である。
【図９】実施例６に係るリソース構成装置の構成を示す図である。
【図１０】実施例７に係るネットワーク装置の構成を示す図である。
【図１１】実施例８に係るリソース決定装置の構成を示す図である。
【図１２】実施例９に係るユーザ装置の構成を示す図である。
【図１３】実施例１０に係る通信システムを示す図である。
【図１４】実施例１０に係るリソースの構成及び決定の方法のフローチャートである。
【図１５】実施例１０に係るリソースの構成及び決定の方法のフローチャートである。
【発明を実施するための形態】
【００１７】
本発明の上記及び他の特徴は以下の説明により明らかになる。明細書及び図面において、本発明の特定の実施形態が詳細に開示され、本発明の原理を採用できる実施形態の一部が示される。なお、本発明は説明される実施形態に限定されない。本発明は、添付される特許請求の範囲内の全ての変更されたもの、変形されたもの及び均等的なものを含む。以下は、図面を参照しながら本発明の各実施形態を説明する。これらの実施形態は単なる例示的なものであり、本発明を制限するものではない。
【００１８】
本発明の実施例では、用語「第１」、「第２」などは、タイトルで異なる要素を区別するために用いられるが、これらの要素の空間的配列又は時間的順序などを表すものではなく、これらの要素はこれらの用語に制限されない。用語「及び／又は」は、関連するリストに列挙された用語の１つ又は複数のうち何れか１つ及び全ての組み合わせを含む。用語「含む」、「包括する」、「有する」などは、列挙された特徴、要素、素子又は構成部材の存在を意味するが、１つ又は複数の他の特徴、要素、素子又は構成部材の存在又は追加を排除するものではない。
【００１９】
本発明の実施例では、単数形の「１つ」、「該」などは複数形を含み、「１種類」又は「１類」と広義的に理解されるべきであり、「１個」に限定されない。また、用語「前記」は、文脈がそうでないことを明確に示さない限り、単数形及び複数形両方を含むと理解されるべきである。また、文脈がそうでないことを明確に示さない限り、用語「に記載の」は「少なくとも一部に記載の」と理解されるべきであり、用語「に基づいて」は「少なくとも一部に基づいて」と理解されるべきである。
【００２０】
本発明の実施例では、用語「通信ネットワーク」又は「無線通信ネットワーク」は、例えばロングタームエボリューション（ＬＴＥ：Ｌｏｎｇ  Ｔｅｒｍ  Ｅｖｏｌｕｔｉｏｎ）、進化したロングタームエボリューション（ＬＴＥ−Ａ、ＬＴＥ−Ａｄｖａｎｃｅｄ）、広帯域符号分割多元接続（ＷＣＤＭＡ(登録商標)：Ｗｉｄｅｂａｎｄ  Ｃｏｄｅ  Ｄｉｖｉｓｉｏｎ  Ｍｕｌｔｉｐｌｅ  Ａｃｃｅｓｓ）、高速パケットアクセス（ＨＳＰＡ：Ｈｉｇｈ−Ｓｐｅｅｄ  Ｐａｃｋｅｔ  Ａｃｃｅｓｓ）などの任意の通信規格に適合するネットワークを意味してもよい。
【００２１】
また、通信システムにおける装置間の通信は、任意の段階の通信プロトコルに従って行われてもよく、該通信プロトコルは、例えば１Ｇ（ｇｅｎｅｒａｔｉｏｎ）、２Ｇ、２．５Ｇ、２．７５Ｇ、３Ｇ、４Ｇ、４．５Ｇ、及び将来の５Ｇ、新無線（ＮＲ：Ｎｅｗ  Ｒａｄｉｏ）等、及び／又は現在の既知の他の通信プロトコル若しくは将来開発される他の通信プロトコルを含んでもよいが、これらに限定されない。
【００２２】
本発明の実施例では、用語「ネットワーク装置」は、例えば通信システムに端末装置をアクセスさせて該端末装置にサービスを提供する通信システム内の装置を意味する。ネットワーク装置は、基地局（ＢＳ：Ｂａｓｅ  Ｓｔａｔｉｏｎ）、アクセスポイント（ＡＰ：Ａｃｃｅｓｓ  Ｐｏｉｎｔ）、送受信ポイント（ＴＲＰ：Ｔｒａｎｓｍｉｓｓｉｏｎ  Ｒｅｃｅｐｔｉｏｎ  Ｐｏｉｎｔ）、ブロードキャスト送信機、モビリティ管理エンティティ（ＭＭＥ：Ｍｏｂｉｌｅ  Ｍａｎａｇｅｍｅｎｔ  Ｅｎｔｉｔｙ）、ゲートウェイ、サーバ、無線ネットワークコントローラ（ＲＮＣ：Ｒａｄｉｏ  Ｎｅｔｗｏｒｋ  Ｃｏｎｔｒｏｌｌｅｒ）、基地局コントローラ（ＢＳＣ：Ｂａｓｅ  Ｓｔａｔｉｏｎ  Ｃｏｎｔｒｏｌｌｅｒ）などを含んでもよいが、これらに限定されない。
【００２３】
そのうち、基地局は、ノードＢ（ＮｏｄｅＢ又はＮＢ）、進化ノードＢ（ｅＮｏｄｅＢ又はｅＮＢ）、及び５Ｇ基地局（ｇＮＢ）など、並びにリモート無線ヘッド（ＲＲＨ：Ｒｅｍｏｔｅ  Ｒａｄｉｏ  Ｈｅａｄ）、リモート無線ユニット（ＲＲＵ：Ｒｅｍｏｔｅ  Ｒａｄｉｏ  Ｕｎｉｔ）、中継装置（ｒｅｌａｙ）又は低電力ノード（例えばｆｅｍｔｏ、ｐｉｃｏなど）を含んでもよいが、これらに限定されない。また、用語「基地局」はそれらの機能の一部又は全てを含んでもよく、各基地局は特定の地理的エリアに対して通信カバレッジを提供してもよい。用語「セル」は、該用語が使用されるコンテキストに応じて、基地局及び／又はそのカバレッジエリアを意味してもよい。
【００２４】
本発明の実施例では、用語「ユーザ装置」（ＵＥ：Ｕｓｅｒ  Ｅｑｕｉｐｍｅｎｔ）又は用語「端末装置」（ＴＥ：Ｔｅｒｍｉｎａｌ  Ｅｑｕｉｐｍｅｎｔ）は、例えばネットワーク装置を介して通信ネットワークにアクセスし、ネットワークサービスを受ける装置を意味する。ユーザ装置は、固定的なもの又は移動的なものであってもよく、移動局（ＭＳ：Ｍｏｂｉｌｅ  Ｓｔａｔｉｏｎ）、端末、加入者ステーション（ＳＳ：Ｓｕｂｓｃｒｉｂｅｒ  Ｓｔａｔｉｏｎ）、アクセス端末（ＡＴ：Ａｃｃｅｓｓ  Ｔｅｒｍｉｎａｌ）、ステーションなどと称されてもよい。
【００２５】
そのうち、ユーザ装置は、携帯電話（Ｃｅｌｌｕｌａｒ  Ｐｈｏｎｅ）、パーソナルデジタルアシスタント（ＰＤＡ：Ｐｅｒｓｏｎａｌ  Ｄｉｇｉｔａｌ  Ａｓｓｉｓｔａｎｔ）、無線変復調装置、無線通信装置、ハンドヘルドデバイス、マシンタイプ通信装置、ラップトップコンピュータ、コードレス電話、スマートフォン、スマートウォッチ、デジタルカメラなどを含んでもよいが、これらに限定されない。
【００２６】
例えば、モノのインターネット（ＩｏＴ：Ｉｎｔｅｒｎｅｔ  ｏｆ  Ｔｈｉｎｇｓ）などのシナリオでは、ユーザ装置は、監視又は測定を行う機器又は装置であってもよく、例えばマシンタイプ通信（ＭＴＣ：Ｍａｃｈｉｎｅ  Ｔｙｐｅ  Ｃｏｍｍｕｎｉｃａｔｉｏｎ）端末、車載通信端末、デバイスツーデバイス（Ｄ２Ｄ：Ｄｅｖｉｃｅ  ｔｏ  Ｄｅｖｉｃｅ）端末、マシンツーマシン（Ｍ２Ｍ：Ｍａｃｈｉｎｅ  ｔｏ  Ｍａｃｈｉｎｅ）端末などを含んでもよいが、これらに限定されない。
【００２７】
以下は、図１を参照しながら従来技術におけるＵＥ固有の追加リソースセットの構成方法に存在する問題をさらに説明する。図１は、ＵＥ固有の追加リソースセットの構成を示す図である。図１に示すように、ネットワークでは、ＵＥのために２つの検出が必要な制御リソースセットＣＯＲＥＳＥＴ＃１及びＣＯＲＥＳＥＴ＃２、並びに追加リソースセットＲｅｓｏｕｒｃｅ  ｓｅｔ＃１、Ｒｅｓｏｕｒｃｅ  ｓｅｔ＃２、Ｒｅｓｏｕｒｃｅ  ｓｅｔ＃３が構成されている。該ＵＥは、ＣＯＲＥＳＥＴ＃１及びＣＯＲＥＳＥＴ＃２に出現する可能性のあるＰＤＣＣＨ＃１及びＰＤＣＣＨ＃２をそれぞれ検出し、ＰＤＣＣＨ＃１及びＰＤＣＣＨ＃２を介して、ＣＯＲＥＳＥＴ＃１及びＣＯＲＥＳＥＴ＃２、並びにＲｅｓｏｕｒｃｅ  ｓｅｔ＃１、Ｒｅｓｏｕｒｃｅ  ｓｅｔ＃２、Ｒｅｓｏｕｒｃｅ  ｓｅｔ＃３において実行される動作を示す必要がある。一方、ＣＯＲＥＳＥＴ＃１及びＲｅｓｏｕｒｃｅ  ｓｅｔ＃１がＣＯＲＥＳＥＴ＃２におけるＰＤＣＣＨ＃２の前に位置するため、ＣＯＲＥＳＥＴ＃２におけるＰＤＣＣＨ＃２によりスケジューリングされるリソースにはＣＯＲＥＳＥＴ＃１及びＲｅｓｏｕｒｃｅ  ｓｅｔ＃１が含まれない。ＰＤＣＣＨ＃２におけるダウンリンク制御情報が依然としてＵＥ固有の追加リソースセットを構成すると、ダウンリンク制御情報のビットマップの２ビットが無駄になってしまう。
【００２８】
本実施例では、各制御リソースセット又は各制御リソースセットグループに対応する１つ又は複数の追加リソースセットを構成し、即ち制御リソースセット固有の追加リソースセットを構成することで、ダウンリンク制御情報のペイロードを低減することができ、従来の問題を解決することができる。
【００２９】
以下は図面を参照しながら本発明の実施例を説明する。
【００３０】
＜実施例１＞
図２は実施例１に係るリソース構成方法のフローチャートであり、該方法はネットワーク装置側に適用される。図２に示すように、該方法は以下のステップを含む。
【００３１】
ステップ２０１：ネットワーク側は、各制御リソースセット又は各制御リソースセットグループに対応する１つ又は複数の追加リソースセットを構成する。
【００３２】
本実施例によれば、各制御リソースセット又は各制御リソースセットグループに対応する１つ又は複数の追加リソースセットを構成し、即ち制御リソースセット固有の追加リソースセットを構成することで、ダウンリンク制御情報のペイロードを低減することができ、従来の問題を解決することができる。
【００３３】
本実施例では、該方法は、以下のステップ（図示せず）をさらに含む。ネットワーク側は、ユーザ装置が構成された制御リソースセットにおいてスケジューリングデータを取得するように、ユーザ装置のために検出が必要な制御リソースセットを構成する。ここで、各ユーザ装置のために１つ又は複数の制御リソースセットを構成してもよく、各制御リソースセットのサイズ及び／又は時間領域及び周波数領域の位置は要求に応じて構成されてもよい。
【００３４】
例えば、各制御リソースセットのサイズはシンボル及び制御チャネル要素（ＣＣＥ：Ｃｏｎｔｒｏｌ  ｃｈａｎｎｅｌ  ｅｌｅｍｅｎｔ）の数を含み、例えば各制御リソースセットのサイズは１つのシンボル及び１６個のＣＣＥとなるように構成してもよい。各制御リソースセットの時間領域及び周波数領域の位置は対応するスロットの制御領域におけるシンボルを含み、例えば具体的な時間領域及び周波数領域の位置は対応するスロットにおけるＭ個のシンボル（例えば最初の１番目、２番目、３番目のシンボル）となるように構成してもよい。なお、これは単に例示的な説明であり、本実施例はこれに限定されない。
【００３５】
本実施例では、該追加リソースセットは、他の１つ又は複数のＵＥのために構成された制御リソースセットにおける全て又は一部の制御リソースを含んでもよいし、他のリソース、例えばＰＤＳＣＨ、ＰＵＳＣＨにおいてデータを伝送するためのリソースを含んでもよい。本実施例はこれに限定されない。該追加リソースセットにより、より高い周波数効率及び／又はより低いレイテンシを実現することができる。
【００３６】
本実施例では、ネットワーク側は、該制御リソースセット及び対応する追加リソースセットを同時に構成してもよいし、制御リソースセットを構成した後に、それに対応する追加リソースセットを構成してもよいが、本実施例はこれに限定されない。
【００３７】
１つの態様では、各制御リソースセットに対応する１つ又は複数の追加リソースセットを構成してもよく、即ち、異なるＣＯＲＥＳＥＴについて、該ＣＯＲＥＳＥＴに対応する１つ又は複数の追加リソースセットを構成してもよい。
【００３８】
例えば、ネットワーク装置は、ＵＥのために検出が必要なｎ個のＣＯＲＥＳＥＴ、即ちＣＯＲＥＳＥＴ＃ｍ１、ＣＯＲＥＳＥＴ＃ｍ２、…、ＣＯＲＥＳＥＴ＃ｍｎを構成し、ｎは１以上の整数であり、ｍｎは該ＣＯＲＥＳＥＴのインデックスを表す。以下の表１に示すように、ネットワーク側は、各ＣＯＲＥＳＥＴのために追加リソースセットをそれぞれ構成する。例えば、インデックスｍｉのＣＯＲＥＳＥＴのために構成された追加リソースセットは、Ｒｅｓｏｕｒｃｅ  ｓｅｔ＃ｍｉ，１、Ｒｅｓｏｕｒｃｅ  ｓｅｔ＃ｍｉ，２、…、Ｒｅｓｏｕｒｃｅ  ｓｅｔ＃ｍｉ，ｋｉであり、ｉの値の範囲は１〜ｎである。
【００３９】
表１
【表１】
2020533844.tif 000003
【００４０】
ここで、ｋ１、ｋ２、ｋｉ、…、ｋｎは１以上の整数であり、ｋ１、ｋ２、ｋｉ、…、ｋｎは同一であってもよいし、異なってもよい。
【００４１】
図３Ａ及び図３ＢはＣＯＲＥＳＥＴに基づいて構成された追加リソースセットを示す図である。図３Ａ及び図３Ｂに示すように、該ＵＥのために検出が必要な２つのＣＯＲＥＳＥＴ、即ちＣＯＲＥＳＥＴ＃１、ＣＯＲＥＳＥＴ＃２を構成し、図３Ａに示すように、ＣＯＲＥＳＥＴ＃１のために構成された追加リソースセットはＲｅｓｏｕｒｃｅ  ｓｅｔ＃１、Ｒｅｓｏｕｒｃｅ  ｓｅｔ＃２、Ｒｅｓｏｕｒｃｅ  ｓｅｔ＃３であり、図３Ｂに示すように、ＣＯＲＥＳＥＴ＃２のために構成された追加リソースセットはＲｅｓｏｕｒｃｅ  ｓｅｔ＃３である。
【００４２】
１つの態様では、各制御リソースセットグループに対応する１つ又は複数の追加リソースセットを構成してもよく、即ち、異なるＣＯＲＥＳＥＴグループについて、該ＣＯＲＥＳＥＴグループに対応する１つ又は複数の追加リソースセットを構成してもよい。
【００４３】
例えば、以下の表２に示すように、ネットワーク装置は、ＵＥのために検出が必要なｎ個のＣＯＲＥＳＥＴ、即ちＣＯＲＥＳＥＴ＃ｍ１、ＣＯＲＥＳＥＴ＃ｍ２、…、ＣＯＲＥＳＥＴ＃ｍｎを構成し、該ｎ個のＣＯＲＥＳＥＴをｐ個のグループに分け、各グループの第２グループインデックスは＃１、＃２、…、＃ｐであり、ｐは１以上の整数であり、各グループのＣＯＲＥＳＥＴ数は同一であってもよいし、異なってもよい。例えば、時間周波数領域での位置が近いＣＯＲＥＳＥＴを同一のグループに分けてもよいが、本実施例はこれに限定されない。
【００４４】
表２
【表２】
2020533844.tif 000004
【００４５】
ここで、ａ、ｂ、ｃ、ｄは１よりも大きい整数であり、互いに異なる。
【００４６】
以下の表３に示すように、ネットワーク側は、ｐ個のグループのＣＯＲＥＳＥＴのために追加リソースセットをそれぞれ構成する。例えば、第２グループインデックスｍｊのＣＯＲＥＳＥＴのために構成された追加リソースセットは、Ｒｅｓｏｕｒｃｅ  ｓｅｔ＃ｍｊ，１、Ｒｅｓｏｕｒｃｅ  ｓｅｔ＃ｍｊ，２、…、Ｒｅｓｏｕｒｃｅ  ｓｅｔ＃ｍｉ，ｒｊであり、ｊの値の範囲は１〜ｐである。
【００４７】
表３
【表３】
2020533844.tif 000005
【００４８】
ここで、ｒ１、ｒ２、…、ｒｐは１以上の整数であり、ｒ１、ｒ２、…、ｒｐは同一であってもよいし、異なってもよい。
【００４９】
例えば、該ＵＥのために検出が必要な３つのＣＯＲＥＳＥＴ、即ちＣＯＲＥＳＥＴ＃１、ＣＯＲＥＳＥＴ＃２、ＣＯＲＥＳＥＴ＃３を構成し、それを２つのグループ（ｐ＝２）に分け、例えばＣＯＲＥＳＥＴ＃１、ＣＯＲＥＳＥＴ＃２を１つのグループ（第２グループインデックス＃１）に分け、ＣＯＲＥＳＥＴ＃３を１つのグループ（第２グループインデックス＃２）に分ける。第１グループのＣＯＲＥＳＥＴ＃１、ＣＯＲＥＳＥＴ＃２について構成された追加リソースセットはＲｅｓｏｕｒｃｅ  ｓｅｔ＃１、Ｒｅｓｏｕｒｃｅ  ｓｅｔ＃２、Ｒｅｓｏｕｒｃｅ  ｓｅｔ＃３（ｒ１＝３）であり、第２グループのＣＯＲＥＳＥＴ＃３について構成された追加リソースセットはＲｅｓｏｕｒｃｅ  ｓｅｔ＃３（ｒ２＝１）である。
【００５０】
本実施例では、ネットワーク側は、該追加リソースセットを構成した後に、該構成された追加リソースセットをユーザ装置に通知してもよく、例えば、無線リソース制御（ＲＲＣ）シグナリングなどの上位層シグナリングを介して、該追加リソースセットの情報をユーザ装置に送信してもよい。
【００５１】
本実施例では、該無線リソース制御シグナリングの情報要素（ＩＥ：ｉｎｆｏｒｍａｔｉｏｎ  ｅｌｅｍｅｎｔ）は、各制御リソースセット又は各制御リソースセットグループの情報、及び各制御リソースセット又は各制御リソースセットグループに対応するように構成された１つ又は複数の追加リソースセットの情報を含む。該情報は制御リソースセット及び追加リソースセットを識別するためのものであり、例えば、該情報は制御リソースセット及び追加リソースセットの位置を識別するための情報、例えば時間領域のシンボル（例えばＯＦＤＭシンボル）の数及び位置、周波数領域のリソースブロック情報（例えば物理リソースブロック（ＰＲＢ）数、周波数オフセット）などであってもよい。また、該情報は、リソースセットのインデックスをさらに含んでもよい。
【００５２】
１つの態様では、各制御リソースセットに対応する１つ又は複数の追加リソースセットを構成する場合、ＲＲＣにおけるＩＥフォーマットは以下のフォーマット（１）に示すものである。
【００５３】
ＣＯＲＥＳＥＴ＃ｍ１，Ｒｅｓｏｕｒｃｅ  ｓｅｔ＃ｍ１，１，＃ｍ１，２，…，＃ｍ１，ｋ１，
ＣＯＲＥＳＥＴ＃ｍ２，Ｒｅｓｏｕｒｃｅ  ｓｅｔ＃ｍ２，１，＃ｍ２，２，…，＃ｍ２，ｋ２，
…                      …
ＣＯＲＥＳＥＴ＃ｍｎ，Ｒｅｓｏｕｒｃｅ  ｓｅｔ＃ｍｎ，１，＃ｍｎ，２，…，＃ｍｎ，ｋｎ。
【００５４】
フォーマット（１）では、ＣＯＲＥＳＥＴ＃ｍ１について、構成された追加リソースセットはＲｅｓｏｕｒｃｅ  ｓｅｔ＃ｍ１，１，＃ｍ１，２，…，＃ｍ１，ｋ１であり、ＣＯＲＥＳＥＴ＃ｍ２について、構成された追加リソースセットはＲｅｓｏｕｒｃｅ  ｓｅｔ＃ｍ２，１，＃ｍ２，２，…，＃ｍ２，ｋ２であり、ＣＯＲＥＳＥＴ＃ｍｎについて、構成された追加リソースセットはＲｅｓｏｕｒｃｅ  ｓｅｔ＃ｍｎ，１，＃ｍｎ，２，…，＃ｍｎ，ｋｎである。ここで、ｎはＵＥのために構成されたＣＯＲＥＳＥＴの数を表し、＃ｍｎはＣＯＲＥＳＥＴのインデックスを表し、ｋｎは１つのＣＯＲＥＳＥＴについて構成された追加リソースセットの数を表し、＃ｍｎ，１、＃ｍｎ，２、…、＃ｍｎ，ｋｎは追加リソースセットのインデックスを表す。なお、ＩＥは、リソースセットのインデックス情報を含まず、所定のルールに従って上記のリソースセットを配列してもよい。例えば、該ＩＥは、ＣＯＲＥＳＥＴのインデックスを含まず、インデックスの昇順又は降順に従って上記の制御リソースセット及びそれに対応する追加リソースセットを順次配列してもよいが、本実施例はこれに限定されない。
【００５５】
１つの態様では、各制御リソースセットグループに対応する１つ又は複数の追加リソースセットを構成する場合、ＲＲＣにおけるＩＥフォーマットは以下のフォーマット（２）に示すものである。
【００５６】
ＣＯＲＥＳＥＴ＃ｍ１，…，＃ｍａ，Ｒｅｓｏｕｒｃｅ  ｓｅｔ＃ｍ１，１，＃ｍ１，２，…，＃ｍ１，ｒ１，
…                      …
ＣＯＲＥＳＥＴ＃ｍｂ，…，＃ｍｃ，Ｒｅｓｏｕｒｃｅ  ｓｅｔ＃ｍｊ，１，＃ｍｊ，２，…，＃ｍｊ，ｒｊ，
…                      …
ＣＯＲＥＳＥＴ＃ｍｄ，…，＃ｍｎ，Ｒｅｓｏｕｒｃｅ  ｓｅｔ＃ｍｐ，１，＃ｍｐ，２，…，＃ｍｐ，ｒｐ，
フォーマット（２）では、ｎ個のＣＯＲＥＳＥＴをｐ個のグループに分け、グループＣＯＲＥＳＥＴ＃ｍ１，…，＃ｍａについて、構成された追加リソースセットはＲｅｓｏｕｒｃｅ  ｓｅｔ＃ｍ１，１，＃ｍ１，２，…，＃ｍ１，ｒ１であり、グループＣＯＲＥＳＥＴ＃ｍｂ，…，＃ｍｃについて、構成された追加リソースセットはＲｅｓｏｕｒｃｅ  ｓｅｔ＃ｍｊ，１，＃ｍｊ，２，…，＃ｍｊ，ｒｊであり、グループＣＯＲＥＳＥＴ＃ｍｄ，…，＃ｍｎについて、構成された追加リソースセットはＲｅｓｏｕｒｃｅ  ｓｅｔ＃ｍｐ，１，＃ｍｐ，２，…，＃ｍｐ，ｒｐである。ここで、ｎはＵＥのために構成されたＣＯＲＥＳＥＴの数を表し、＃ｍｎはＣＯＲＥＳＥＴのインデックスを表し、ｒｊは１つのＣＯＲＥＳＥＴグループ（第２グループインデックスは＃ｊである）について構成された追加リソースセットの数を表し、＃ｍｊ，１、＃ｍｊ，２、…、＃ｍｊ，ｒｊは該グループ＃ｊのために構成された追加リソースセットのインデックスを表す。なお、ＩＥは、リソースセットのインデックス情報を含まず、所定のルールに従って上記のリソースセットを配列してもよい。例えば、該ＩＥは、ＣＯＲＥＳＥＴのインデックスを含まず、ｐ個のＣＯＲＥＳＥＴグループの第２グループインデックスの昇順又は降順に従って上記の各制御リソースセットグループ及びそれに対応する追加リソースセットを順次配列してもよいが、本実施例はこれに限定されない。或いは、該ＩＥは、ＣＯＲＥＳＥＴのインデックスを含まず、且つ該ＣＯＲＥＳＥＴの所在するグループの第２グループインデックスを含み、例えばＲＲＣにおけるＩＥフォーマットは以下のフォーマット（３）に示すものである。
【００５７】
ＣＯＲＥＳＥＴ（第２グループインデックス＃１），Ｒｅｓｏｕｒｃｅ  ｓｅｔ＃ｍ１，１，＃ｍ１，２，…，＃ｍ１，ｓ１，
…                      …
ＣＯＲＥＳＥＴ（第２グループインデックス＃ｊ），Ｒｅｓｏｕｒｃｅ  ｓｅｔ＃ｍｊ，１，＃ｍｊ，２，…，＃ｍｊ，ｓｊ，
…                      …
ＣＯＲＥＳＥＴ（第２グループインデックス＃ｐ），Ｒｅｓｏｕｒｃｅ  ｓｅｔ＃ｍｐ，１，＃ｍｐ，２，…，＃ｍｐ，ｓｐ。
【００５８】
ここで、ネットワーク側は、該第２グループ情報をユーザ装置に通知してもよく、ユーザ装置は該ＲＲＣを受信した場合に、そのＩＥに基づいて、各ＣＯＲＥＳＥＴグループについて構成された追加リソースセットを決定し、該第２グループ情報に基づいて各ＣＯＲＥＳＥＴグループにおけるＣＯＲＥＳＥＴを決定し、各ＣＯＲＥＳＥＴに対応する追加リソースセットを決定してもよい。
【００５９】
本実施例では、該構成された追加リソースセットは、より高い周波数効率及び／又はより低いレイテンシを得ることができる。ここで、これらの追加リソースセットにおいて実行される動作をさらに示してもよい。従って、本実施例では、該方法は以下のステップをさらに含んでもよい。
【００６０】
ステップ２０２（オプション）：ネットワーク装置側は、該追加リソースセットにおいて実行される動作、又は該制御リソースセット及び該追加リソースセットにおいて実行される動作を示す指示情報を構成する。
【００６１】
ここで、実行される動作は、レートマッチング又はデータマッピングを含む。実行される動作がデータマッピングである場合、該ＵＥによりスケジューリングされたＰＤＳＣＨが該リソースに対してデータマッピング処理を実行できることを意味し、実行される動作がレートマッチングである場合、該リソースが該ＵＥのデータマッピング処理に適用できず、且つスケジューリングされたＰＤＳＣＨが該リソースの時間周波数位置の周囲のみでレートマッチングを実行できることを意味する。例えば、追加リソースセットに他のＵＥにより検出されたＰＤＣＣＨが含まれる場合、該追加リソースセットにおいて実行される動作はレートマッチングであってもよく、そうでない場合、データマッピングであってもよい。なお、本実施例はこれに限定されず、その具体的なデータマッピング及びレートマッチングの動作方式は従来技術を参照してもよく、ここでその説明を省略する。
【００６２】
本実施例では、該制御リソースセットにおける物理ダウンリンクチャネルを介して該指示情報を送信してもよい。ここで、該指示情報は、第２所定数のビットであってもよく、ビットマップ（ｂｉｔｍａｐ）の方式で指示してもよい。
【００６３】
ここで、該指示情報が該追加リソースセットにおいて実行される動作を示す場合、該第２所定数は、１つの制御リソースセット又は１つの制御リソースセットグループに対応する追加リソースセットの数に等しく、或いは、該第２所定数は、異なる制御リソースセット又は異なる制御リソースセットグループに対応する異なる追加リソースセットの数のうちの最大値に等しい。
【００６４】
ここで、該第２所定数のビットにおける各ビットは、各制御リソースセット又は各制御リソースセットグループに対応するように構成された１つ又は複数の追加リソースセットにおいて実行される動作をそれぞれ示す。
【００６５】
例えば、上記のフォーマット（１）で構成された追加リソースセットでは、ＣＯＲＥＳＥＴ＃ｍｉについて、構成された追加リソースセットの数はｋｉであり、該指示情報はＣＯＲＥＳＥＴ＃ｍｉにおけるＰＤＣＣＨのダウンリンク制御情報（ＤＣＩ）によりキャリーされ、該指示情報のビット数（第２所定数）はｋｉに等しく、各ビットはＲｅｓｏｕｒｃｅ  ｓｅｔ＃ｍｉ，１，＃ｍｉ，２，…，＃ｍｉ，ｋｉにおいて実行される動作をそれぞれ示す。或いは、該指示情報のビット数（第２所定数）はｋ１、ｋ２、…、ｋｉ、…、ｋｎのうちの最大値である。このように、各ＣＯＲＥＳＥＴにおけるＰＤＣＣＨのＤＣＩ長さは同一であるように維持される。
【００６６】
例えば、上記のフォーマット（２）で構成された追加リソースセットでは、第２グループインデックス＃ｊの制御リソースセットについて、該指示情報は第２グループインデックス＃ｊの制御リソースセットのＰＤＣＣＨのＤＣＩによりキャリーされ、該指示情報のビット数（第２所定数）はｒｊに等しく、各ビットはＲｅｓｏｕｒｃｅ  ｓｅｔ＃ｍｊ，１，＃ｍｊ，２，…，＃ｍｊ，ｒｊにおいて実行される動作をそれぞれ示す。或いは、該指示情報のビット数（第２所定数）はｒ１、ｒ２、…、ｒｊ、…、ｒｐのうちの最大値である。このように、各ＣＯＲＥＳＥＴにおけるＰＤＣＣＨのＤＣＩ長さは同一であるように維持される。上記のフォーマット（２）で構成された追加リソースセットの指示方式はフォーマット（２）と同様であり、ここでその説明を省略する。
【００６７】
ここで、該指示情報が該制御リソースセット及び追加リソースセットにおいて実行される動作を示す場合、該第２所定数は、１つの制御リソースセット又は１つの制御リソースセットグループに対応する追加リソースセットの数に１を加算して得られた数、又は１つの制御リソースセットグループにおける制御リソースセットの数を加算して得られた数に等しく、或いは、該第２所定数は、異なる制御リソースセット又は異なる制御リソースセットグループに対応する異なる追加リソースセットの数のうちの最大値に１を加算して得られた数、又は１つの制御リソースセットグループにおける制御リソースセットの数を加算して得られた数に等しい。
【００６８】
ここで、該第２所定数のビットにおける各ビットは、各制御リソースセット又は各制御リソースセットグループ、及び各制御リソースセット又は各制御リソースセットグループに対応するように構成された１つ又は複数の追加リソースセットにおいて実行される動作をそれぞれ示す。
【００６９】
例えば、上記のフォーマット（１）で構成された追加リソースセットでは、ＣＯＲＥＳＥＴ＃ｍｉについて、構成された追加リソースセットの数はｋｉであり、該指示情報はＣＯＲＥＳＥＴ＃ｍｉにおけるＰＤＣＣＨのＤＣＩによりキャリーされ、該指示情報のビット数（第２所定数）はｋｉ＋１に等しく、各ビットはＣＯＲＥＳＥＴ＃ｍｉ、Ｒｅｓｏｕｒｃｅ  ｓｅｔ＃ｍｉ，１，＃ｍｉ，２，…，＃ｍｉ，ｋｉにおいて実行される動作をそれぞれ示す。或いは、該指示情報のビット数（第２所定数）はｋ１、ｋ２、…、ｋｉ、…、ｋｎのうちの最大値に１を加算して得られた数である。このように、各ＣＯＲＥＳＥＴにおけるＰＤＣＣＨのＤＣＩ長さは同一であるように維持される。
【００７０】
例えば、上記のフォーマット（２）で構成された追加リソースセットでは、第２グループインデックス＃ｊの制御リソースセットについて、該指示情報は第２グループインデックス＃ｊの制御リソースセットのＰＤＣＣＨのＤＣＩによりキャリーされ、該指示情報のビット数（第２所定数）はｒｊ＋ｘに等しく、ｘは第２グループインデックス＃ｊの制御リソースセットの数に等しく、各ビットはＣＯＲＥＳＥＴ＃ｍｂ、…、＃ｍｃ、Ｒｅｓｏｕｒｃｅ  ｓｅｔ＃ｍｊ，１，＃ｍｊ，２，…，＃ｍｊ，ｒｊにおいて実行される動作をそれぞれ示す。或いは、該指示情報のビット数（第２所定数）はｒ１、ｒ２、…、ｒｊ、…、ｒｐのうちの最大値にｘを加算して得られた数である。このように、各ＣＯＲＥＳＥＴにおけるＰＤＣＣＨのＤＣＩ長さは同一であるように維持される。
【００７１】
例えば、上記のフォーマット（３）で構成された追加リソースセットでは、第２グループインデックス＃ｊの制御リソースセットについて、該指示情報は第２グループインデックス＃ｊの制御リソースセットのＰＤＣＣＨのＤＣＩによりキャリーされ、該指示情報のビット数（第２所定数）はｓｊ＋１に等しく、各ビットは第２グループインデックス＃ｊのＣＯＲＥＳＥＴ（グループ内のＣＯＲＥＳＥＴの実行される動作が同一であることを意味する）、Ｒｅｓｏｕｒｃｅ  ｓｅｔ＃ｍｊ，１，＃ｍｊ，２，…，＃ｍｊ，ｓｊにおいて実行される動作をそれぞれ示す。或いは、該指示情報のビット数（第２所定数）はｓ１、ｓ２、…、ｓｊ、…、ｓｐのうちの最大値に１を加算して得られた数である。このように、各ＣＯＲＥＳＥＴにおけるＰＤＣＣＨのＤＣＩ長さは同一であるように維持される。
【００７２】
上述したように、第２所定数が該最大値に基づいて決定される場合、その制御リソースセットについて構成された追加リソースセットの数Ｐよりも大きい可能性があるため、該第２所定数のビットにおけるＰ個のビット、Ｐ＋１又はＰ＋ｘ個のビットに基づいて、追加リソースセット、又は制御リソースセット及び追加リソースセットにおいて実行される動作をそれぞれ示してもよい。
【００７３】
図４は構成された追加リソースセットを示す図である。図４に示すように、構成されたＣＯＲＥＳＥＴ＃１に対応する追加リソースセットは、Ｒｅｓｏｕｒｃｅ  ｓｅｔ＃１、Ｒｅｓｏｕｒｃｅ  ｓｅｔ＃２、Ｒｅｓｏｕｒｃｅ  ｓｅｔ＃３、Ｒｅｓｏｕｒｃｅ  ｓｅｔ＃４であり、構成指示情報は、ＣＯＲＥＳＥＴ＃１、Ｒｅｓｏｕｒｃｅ  ｓｅｔ＃１、Ｒｅｓｏｕｒｃｅ  ｓｅｔ＃２、Ｒｅｓｏｕｒｃｅ  ｓｅｔ＃３、Ｒｅｓｏｕｒｃｅ  ｓｅｔ＃４において実行される動作をそれぞれ示す。ここで、ＣＯＲＥＳＥＴ＃１において検出されたＰＤＣＣＨ＃１のダウンリンク制御情報を介して該指示情報を送信する。例えば、該指示情報は５ｂｉｔのビットであり、各ビットはＣＯＲＥＳＥＴ＃１、Ｒｅｓｏｕｒｃｅ  ｓｅｔ＃１、Ｒｅｓｏｕｒｃｅ  ｓｅｔ＃２、Ｒｅｓｏｕｒｃｅ  ｓｅｔ＃３、Ｒｅｓｏｕｒｃｅ  ｓｅｔ＃４において実行される動作をそれぞれ示す。ここで、「０」はデータマッピングを表し、「１」はレートマッチングを表すが、本実施例はこれに限定されず、その逆の指示方式であってもよい。図４に示すように、Ｒｅｓｏｕｒｃｅ  ｓｅｔ＃３にＰＤＣＣＨ＃２が存在し、Ｒｅｓｏｕｒｃｅ  ｓｅｔ＃３において実行される動作が「レートマッチング」であり、他のリソースセットにおいて実行される動作が「データマッピング」であるため、該５ｂｉｔの指示情報は０００１０で表されてもよい。なお、本実施例はこれに限定されず、例えば、該ＣＯＲＥＳＥＴは所定のデフォルトの動作を用いてもよく、該指示情報は４ｂｉｔのビットであり、各ビットはＲｅｓｏｕｒｃｅ  ｓｅｔ＃１、Ｒｅｓｏｕｒｃｅ  ｓｅｔ＃２、Ｒｅｓｏｕｒｃｅ  ｓｅｔ＃３、Ｒｅｓｏｕｒｃｅ  ｓｅｔ＃４において実行される動作をそれぞれ示し、該４ｂｉｔの指示情報は００１０と表されてもよい。
【００７４】
本実施例によれば、各制御リソースセット又は各制御リソースセットグループに対応する１つ又は複数の追加リソースセットを構成し、即ち制御リソースセット固有の追加リソースセットを構成することで、ダウンリンク制御情報のペイロードを低減することができ、従来の問題を解決することができる。
【００７５】
＜実施例２＞
図５は実施例２に係るリソース構成方法のフローチャートであり、該方法はネットワーク装置側に適用される。図５に示すように、該方法は以下のステップを含む。
【００７６】
ステップ５０１：ネットワーク側は、各制御リソースセット又は各制御リソースセットグループに対応する１つ又は複数の追加リソースセットを構成する。
【００７７】
該ステップ５０１の具体的な実施方式はステップ２０１と同様であり、ここでその説明を省略する。
【００７８】
実施例１との相違点として、本実施例では、該方法は以下のステップをさらに含む。
【００７９】
ステップ５０２：ネットワーク装置側は、ユーザ装置の全ての制御リソースセット、及び各制御リソースセットに対応する１つ又は複数の追加リソースセットを第１所定数のグループに分け、或いは、該ユーザ装置の全ての制御リソースセット、及び各制御リソースセットグループに対応する１つ又は複数の追加リソースセットを第１所定数のグループに分ける。
【００８０】
１つの態様では、ユーザ装置の全ての制御リソースセット、及び各制御リソースセットに対応する１つ又は複数の追加リソースセットを第１所定数のグループに分ける。例えば、上記の表１におけるリソースの構成方式では、表１における全ての制御リソースセットＣＯＲＥＳＥＴ＃１、ＣＯＲＥＳＥＴ＃ｍ２、…、ＣＯＲＥＳＥＴ＃ｍｎ、Ｒｅｓｏｕｒｃｅ  ｓｅｔ＃ｍ１，１、＃ｍ１，２、…、＃ｍ１，ｋ１；Ｒｅｓｏｕｒｃｅ  ｓｅｔ＃ｍ２，１、＃ｍ２，２、…、＃ｍ２，ｋ２；…；Ｒｅｓｏｕｒｃｅ  ｓｅｔ＃ｍｎ，１、＃ｍｎ，２、…、＃ｍｎ，ｋｎの合計ｎ＋ｋ１＋ｋ２＋…＋ｋｎ個のリソースセットを第１所定数ｑ個のグループに分ける。
【００８１】
１つの態様では、ユーザ装置の全ての制御リソースセット、及び各制御リソースセットグループに対応する１つ又は複数の追加リソースセットを第１所定数のグループに分ける。例えば、上記の表３におけるリソースの構成方式では、表３における全ての制御リソースセットＣＯＲＥＳＥＴ＃ｍ２、ＣＯＲＥＳＥＴ＃ｍ２、…、ＣＯＲＥＳＥＴ＃ｍｎ、Ｒｅｓｏｕｒｃｅ  ｓｅｔ＃ｍ１，１、＃ｍ１，２、…、＃ｍ１，ｒ１、…、Ｒｅｓｏｕｒｃｅ  ｓｅｔ＃ｍｐ，１、＃ｍｐ，２、…、＃ｍｐ，ｒｐの合計ｎ＋ｒ１＋ｒ２＋…＋ｒｊ…＋ｒｐ個のリソースセットを第１所定数ｑ個のグループに分ける。
【００８２】
本実施例では、ステップ５０２においてＣＯＲＥＳＥＴの開始シンボル、大きさに基づいてグループ分けを行ってもよいが、本実施例はこれに限定されない。各グループは、制御リソースセットのみ又は追加リソースセットのみを含んでもよいし、制御リソースセット及び追加リソースセットを含んでもよい。各グループに含まれる制御リソースセット及び／又は追加リソースセットの数は同一であってもよいし、異なってもよい。各グループの第１グループインデックスは＃１、＃２、…、＃ｑであり、該第１所定数ｑは要求に応じて決定されてもよく、本実施例はこれに限定されない。
【００８３】
本実施例では、該方法は、以下のステップ（図示せず）をさらに含んでもよい。該構成された追加リソースセットをユーザ装置に通知し、例えば、無線リソース制御（ＲＲＣ）シグナリングなどの上位層シグナリングを介して、該追加リソースセットの情報をユーザ装置に送信してもよい。
【００８４】
ここで、該無線リソース制御シグナリングの情報要素は、各制御リソースセット又は各制御リソースセットグループの情報、及び各制御リソースセット又は各制御リソースセットグループに対応するように構成された１つ又は複数の追加リソースセットの情報を含む。該情報に具体的に含まれる内容は実施例１を参照してもよく、該情報要素のフォーマットは実施例を参照してもよく、具体的な例としてフォーマット（１）、フォーマット（２）、フォーマット（３）があり、ここでその説明を省略する。
【００８５】
本実施例では、該情報要素は、ステップ５０２におけるグループ分け後の各制御リソースセット又は各制御リソースセットグループの所在するグループの第１グループインデックス、及び各制御リソースセット又は各制御リソースセットグループに対応するように構成された１つ又は複数の追加リソースセットの所在するグループの第１グループインデックスをさらに含んでもよい。
【００８６】
例えば、実施例１のフォーマット（１）では、以下に示すようなグループインデックスをさらに含んでもよい。
【００８７】
ＣＯＲＥＳＥＴ＃ｍ１（第１グループインデックス＃１），Ｒｅｓｏｕｒｃｅ  ｓｅｔ＃ｍ１，１（第１グループインデックス＃１），＃ｍ１，２（第１グループインデックス＃ｚ），…，＃ｍ１，ｋ１（第１グループインデックス＃ｑ），
ＣＯＲＥＳＥＴ＃ｍ２（第１グループインデックス＃２），Ｒｅｓｏｕｒｃｅ  ｓｅｔ＃ｍ２，１（第１グループインデックス＃３），＃ｍ２，２（第１グループインデックス＃４），…，＃ｍ２，ｋ２（第１グループインデックス＃ｑ−１），
…                    …
ＣＯＲＥＳＥＴ＃ｍｎ（第１グループインデックス＃３），Ｒｅｓｏｕｒｃｅ  ｓｅｔ＃ｍｎ，１（第１グループインデックス＃４），＃ｍｎ，２（第１グループインデックス＃ｔ），…，＃ｍｎ，ｋｎ（第１グループインデックス＃ｑ）。
【００８８】
例えば、実施例１のフォーマット（２）では、以下に示すような第１グループインデックスをさらに含んでもよい。
【００８９】
ＣＯＲＥＳＥＴ＃ｍ１（第１グループインデックス＃１），…，＃ｍａ（第１グループインデックス＃２），Ｒｅｓｏｕｒｃｅ  ｓｅｔ＃ｍ１，１（第１グループインデックス＃１），＃ｍ１，２（第１グループインデックス＃１），…，＃ｍ１，ｒ１（第１グループインデックス＃１），
…                    …
ＣＯＲＥＳＥＴ＃ｍｂ（第１グループインデックス＃２），…，＃ｍｃ（第１グループインデックス＃３），Ｒｅｓｏｕｒｃｅ  ｓｅｔ＃ｍｊ，１（第１グループインデックス＃３），＃ｍｊ，２（第１グループインデックス＃３），…，＃ｍｊ，ｒｊ（第１グループインデックス＃３），
…                    …
ＣＯＲＥＳＥＴ＃ｍｄ（第１グループインデックス＃ｔ），…，＃ｍｎ（第１グループインデックス＃ｚ），Ｒｅｓｏｕｒｃｅ  ｓｅｔ＃ｍｐ，１（第１グループインデックス＃ｑ−１），＃ｍｐ，２（第１グループインデックス＃ｑ），…，＃ｍｐ，ｒｐ（第１グループインデックス＃ｑ），
例えば、実施例１のフォーマット（３）では、以下に示すようなグループインデックスをさらに含んでもよい。
【００９０】
ＣＯＲＥＳＥＴ（第２グループインデックス＃１）（第１グループインデックス＃１），Ｒｅｓｏｕｒｃｅ  ｓｅｔ＃ｍ１，１（第１グループインデックス＃１），＃ｍ１，２（第１グループインデックス＃２），…，＃ｍ１，ｓ１（第１グループインデックス＃３），
…                    …
ＣＯＲＥＳＥＴ（第２グループインデックス＃ｊ）（第１グループインデックス＃ｔ），Ｒｅｓｏｕｒｃｅ  ｓｅｔ＃ｍｊ，１（第１グループインデックス＃１），＃ｍｊ，２（第１グループインデックス＃ｚ），…，＃ｍｊ，ｓｊ（第１グループインデックス＃ｔ），
…                    …
ＣＯＲＥＳＥＴ（第２グループインデックス＃ｐ）（第１グループインデックス＃ｑ），Ｒｅｓｏｕｒｃｅ  ｓｅｔ＃ｍｐ，１（第１グループインデックス＃３），＃ｍｐ，２（第１グループインデックス＃ｔ），…，＃ｍｐ，ｓｐ（第１グループインデックス＃ｑ）。
【００９１】
上記の各リソースセットの所在するグループの第１グループインデックス１、２、３、ｚ、ｔ、ｑ−１、ｑは単なる一例であり、本実施例はこれに限定されない。
【００９２】
本実施例では、該方法は以下のステップをさらに含んでもよい。
【００９３】
ステップ５０３：ネットワーク装置側は、該制御リソースセット及び該追加リソースセットにおいて実行される動作を示す指示情報を構成する。
【００９４】
ステップ５０３において、ステップ５０２においてグループ分けされた第１所定数のグループについてグループに対応する指示情報をそれぞれ構成してもよい。グループについて指示情報を構成することで、該グループ内の全てのリソースセットにおいて実行される動作は同一であるため、ＤＣＩのオーバーヘッドをさらに低減することができ、ビットマップの長さを低減することができる。
【００９５】
本実施例では、該動作の具体的な意味は実施例１と同様であり、ここでその説明を省略する。
【００９６】
本実施例では、該制御リソースセットにおける物理ダウンリンクチャネルを介して該指示情報を送信してもよい。ここで、該指示情報は第２所定数のビットであってもよく、ビットマップ（ｂｉｔｍａｐ）の方式で指示されてもよい。ここで、該第２所定数は該第１所定数に等しく、該第２所定数のビットにおける各ビットは、第１所定数のグループにおけるリソースセットにおいて実行される動作をそれぞれ示し、該第２所定数のビットのそれぞれはグループインデックスに一対一で対応する。
【００９７】
例えば、ｑ個のビットを用いて、ｑ個のグループのリソースセットにおいて実行される動作をそれぞれ示し、即ち、ｑ個のビットにおける１番目のビットは第１グループインデックス＃１のリソースセットにおいて実行される動作を示し、２番目のビットは第１グループインデックス＃２のリソースセットにおいて実行される動作を示し、ｑ番目のビットは第１グループインデックス＃ｑのリソースセットにおいて実行される動作を示す。ここで、各ビットでは、０及び１は、実行される動作がデータマッピング又はレートマッチングであることをそれぞれ表し、逆の指示方式であってもよく、本実施例はこれに限定されない。例えば、該指示情報が０１０…１の合計ｑビットである場合、第１グループインデックス＃１のリソースセットにおいて実行される動作が何れもデータマッピングであり、第１グループインデックス＃２のリソースセットにおいて実行される動作が何れもレートマッチングであり、第１グループインデックス＃３のリソースセットにおいて実行される動作が何れもデータマッピングであり、…、第１グループインデックス＃ｑのリソースセットにおいて実行される動作が何れもレートマッチングであることを意味する。
【００９８】
本実施例によれば、各制御リソースセット又は各制御リソースセットグループに対応する１つ又は複数の追加リソースセットを構成し、即ち制御リソースセット固有の追加リソースセットを構成することで、ダウンリンク制御情報のペイロード及びビットマップの長さを低減することができ、従来の問題を解決することができる。
【００９９】
＜実施例３＞
図６は実施例３に係るリソース決定方法のフローチャートであり、該方法はユーザ装置側に適用される。図６に示すように、該方法は以下のステップを含む。
【０１００】
ステップ６０１：ユーザ装置は、ネットワーク側により構成された各制御リソースセット又は各制御リソースセットグループに対応する１つ又は複数の追加リソースセットを決定する。
【０１０１】
ステップ６０３：ユーザ装置は、各制御リソースセット又は各制御リソースセットグループに対応する１つ又は複数の追加リソースセットにおいて対応する動作を実行する。
【０１０２】
本実施例では、ステップ６０１の前に、該方法は以下のステップ（図示せず）をさらに含んでもよい。ネットワーク側によりＲＲＣを介して通知された該追加リソースセットの情報を受信する。該ＲＲＣにおける情報要素のフォーマットは実施例１及び２を参照してもよく、ここでその説明を省略する。
【０１０３】
本実施例では、ステップ６０１では、受信されたＲＲＣに基づいて、ネットワーク側により構成された各制御リソースセット又は各制御リソースセットグループに対応する１つ又は複数の追加リソースセットを決定してもよく、その具体的な構成方式は実施例１を参照してもよく、ここでその説明を省略する。
【０１０４】
本実施例では、該方法は以下のステップをさらに含んでもよい。
【０１０５】
ステップ６０２（オプション）：ユーザ装置は、該制御リソースセットにおける物理ダウンリンクチャネルを検出し、各制御リソースセット又は各制御リソースセットグループに対応する１つ又は複数の追加リソースセットにおいて実行される動作を決定する。
【０１０６】
ステップ６０３では、ステップ６０２において決定された動作に基づいて、該追加リソースセットにおいて対応する動作を実行する。
【０１０７】
本実施例では、ステップ６０２では、該ＰＤＣＣＨを検出することでＤＣＩを受信し、該ＤＣＩは、１つ又は複数の追加リソースセットにおいて実行される動作を示す指示情報を含む。該指示情報及びＲＲＣにおける情報要素のフォーマットに基づいて、各制御リソースセット又は各制御リソースセットグループに対応する１つ又は複数の追加リソースセットにおいて実行される動作を決定することができる。ここで、該指示情報の具体的な実施方式は実施例１又は２を参照してもよく、ここでその説明を省略する。
【０１０８】
本実施例では、ステップ６０２では、各制御リソースセット又は各制御リソースセットグループにおいて実行される動作をさらに決定してもよく、ステップ６０３では、各制御リソースセット又は各制御リソースセットグループにおいて対応する動作をさらに実行してもよい。
【０１０９】
本実施例では、実行される動作がデータマッピングである場合、ＰＤＳＣＨデータを追加リソースセットの所在する時間周波数位置にマッピングして送信する。実行される動作がレートマッチングである場合、該追加リソースセットの所在する時間周波数位置を空けて該時間周波数位置の周囲でレートマッチングを行い、即ちスケジューリングデータは該追加リソースセットを含む。なお、伝送ブロック（ＴＢ：ｔｒａｎｓｐｏｒｔ  ｂｌｏｃｋ）をアセンブリングする場合、該追加リソースセットの所在する時間周波数位置のリソースブロックを空ける必要がある。
【０１１０】
本実施例では、該ＵＥは該制御リソースセットにおいてＰＤＣＣＨを検出し、自分のＲＭＳＩスケジューリング情報を取得してもよい。その具体的な方法は従来技術を参照してもよく、例えば、ユーザ側は、ＰＤＣＣＨを検出し、具体的なデータリソースを決定し、データを受信し、自分のＲＭＳＩスケジューリング情報を取得する。
【０１１１】
本実施例によれば、各制御リソースセット又は各制御リソースセットグループに対応する１つ又は複数の追加リソースセットを構成し、即ち制御リソースセット固有の追加リソースセットを構成することで、ダウンリンク制御情報のペイロードを低減することができ、従来の問題を解決することができる。
【０１１２】
＜実施例４＞
本実施例４はリソース構成装置をさらに提供する。該装置の問題解決の原理は実施例１の方法と類似するため、その具体的な実施は実施例１の方法の実施を参考してもよく、同様な内容について説明を省略する。
【０１１３】
図７は実施例４に係るリソース構成装置の構成を示す図である。図７に示すように、リソース構成装置７００は、第１構成部７０１を含む。
【０１１４】
第１構成部７０１は、各制御リソースセット又は各制御リソースセットグループに対応する１つ又は複数の追加リソースセットを構成する。
【０１１５】
本実施例では、該装置は、第２構成部７０２（オプション）をさらに含んでもよい。
【０１１６】
第２構成部７０２は、該追加リソースセットにおいて実行される動作を示す指示情報、又は該制御リソースセット及び追加リソースセットにおいて実行される動作を示す指示情報を構成する。
【０１１７】
本実施例では、該制御リソースセットにおける物理ダウンリンクチャネルを介して該指示情報を送信してもよい。ここで、該指示情報は、第２所定数のビットであってもよく、ビットマップ（ｂｉｔｍａｐ）の方式で指示されてもよい。
【０１１８】
１つの態様では、該指示情報が該追加リソースセットにおけるリソースにおいて実行される動作を示す場合、該第２所定数は、１つの制御リソースセット又は１つの制御リソースセットグループに対応する追加リソースセットの数に等しく、或いは、該第２所定数は、異なる制御リソースセット又は異なる制御リソースセットグループに対応する異なる追加リソースセットの数のうちの最大値に等しい。
【０１１９】
ここで、該第２所定数のビットにおける各ビットは、各制御リソースセット又は各制御リソースセットグループに対応するように構成された１つ又は複数の追加リソースセットにおいて実行される動作をそれぞれ示す。
【０１２０】
１つの態様では、該指示情報が該制御リソースセット及び追加リソースセットにおけるリソースにおいて実行される動作を示す場合、該第２所定数は、１つの制御リソースセット又は１つの制御リソースセットグループに対応する追加リソースセットの数に１を加算して得られた数、又は１つの制御リソースセットグループにおける制御リソースセットの数を加算して得られた数に等しく、或いは、該第２所定数は、異なる制御リソースセット又は異なる制御リソースセットグループに対応する異なる追加リソースセットの数のうちの最大値に１を加算して得られた数、又は１つの制御リソースセットグループにおける制御リソースセットの数を加算して得られた数に等しい。
【０１２１】
ここで、該第２所定数のビットにおける所定位置の各ビットは、各制御リソースセット又は各制御リソースセットグループ、及び各制御リソースセット又は各制御リソースセットグループに対応するように構成された１つ又は複数の追加リソースセットにおいて実行される動作をそれぞれ示す。
【０１２２】
本実施例では、第１構成部７０１、第２構成部７０２の具体的な実施方式は実施例１のステップ２０１〜２０２を参照してもよく、ここでその説明を省略する。
【０１２３】
本実施例では、該装置は、第１送信部（図示せず）をさらに含んでもよい。
【０１２４】
第１送信部は、無線リソース制御シグナリングを介して、ユーザ装置に、構成された該追加リソースセットを通知する。
【０１２５】
ここで、該無線リソース制御シグナリングの情報要素は、各制御リソースセット又は各制御リソースセットグループの情報、及び各制御リソースセット又は各制御リソースセットグループに対応するように構成された１つ又は複数の追加リソースセットの情報を含む。該情報要素の具体的なフォーマットは実施例１を参照してもよく、ここでその説明を省略する。
【０１２６】
本実施例によれば、各制御リソースセット又は各制御リソースセットグループに対応する１つ又は複数の追加リソースセットを構成し、即ち制御リソースセット固有の追加リソースセットを構成することで、ダウンリンク制御情報のペイロードを低減することができ、従来の問題を解決することができる。
【０１２７】
＜実施例５＞
本実施例は、上記リソース構成装置７００を含むネットワーク装置（図示せず）をさらに提供し、該リソース構成装置の構成及び機能は実施例４と同様であり、ここでその説明を省略する。
【０１２８】
本実施例５はネットワーク装置をさらに提供する。該装置の問題解決の原理は実施例１の方法と類似するため、その具体的な実施は実施例１の方法の実施を参考してもよく、同様な内容について説明を省略する。
【０１２９】
図８は本発明の実施例のネットワーク装置を示す図である。図８に示すように、ネットワーク装置８００は、中央処理装置８０１（ＣＰＵ）及びメモリ８０２を含んでもよく、メモリ８０２は中央処理装置８０１に接続される。メモリ８０２は、各種のデータを記憶してもよいし、情報処理のプログラムをさらに記憶し、中央処理装置８０１の制御で該プログラムを実行し、関連情報を送信する。
【０１３０】
１つの態様では、リソース構成装置７００の機能は中央処理装置８０１に統合されてもよい。ここで。中央処理装置８０１は、実施例１に記載されたリソース構成方法を実現するように構成されてもよい。
【０１３１】
例えば、中央処理装置８０１は、各制御リソースセット又は各制御リソースセットグループに対応する１つ又は複数の追加リソースセットを構成するように構成されてもよい。
【０１３２】
ここで、中央処理装置８０１は、該制御リソースセット及び該追加リソースセットにおいて実行される動作を示す指示情報を構成するように構成されてもよい。
【０１３３】
ここで、中央処理装置８０１は、無線リソース制御シグナリングを介して、ユーザ装置に、構成された該追加リソースセットを通知するように構成されてもよい。
【０１３４】
なお、中央処理装置８０１の他の構成方法は実施例１を参照してもよく、ここでその説明を省略する。
【０１３５】
もう１つの態様では、リソース構成装置７００は中央処理装置８０１とそれぞれ配置されてもよく、例えばリソース構成装置７００は中央処理装置８０１に接続されたチップであり、図８に示す構成部は、中央処理装置８０１の制御によりリソース構成装置７００の機能を実現してもよい。
【０１３６】
また、図８に示すように、ネットワーク装置８００は、送受信機８０３及びアンテナ８０４などをさらに含んでもよい。上記部材の機能は従来技術と類似し、ここでその説明を省略する。なお、ネットワーク装置８００は図８に示す全てのユニットを含む必要がない。また、ネットワーク装置８００は、図８に示されていないユニットをさらに含んでもよく、従来技術を参照してもよい。
【０１３７】
本実施例によれば、各制御リソースセット又は各制御リソースセットグループに対応する１つ又は複数の追加リソースセットを構成し、即ち制御リソースセット固有の追加リソースセットを構成することで、ダウンリンク制御情報のペイロードを低減することができ、従来の問題を解決することができる。
【０１３８】
＜実施例６＞
本実施例６はリソース構成装置をさらに提供する。該装置の問題解決の原理は実施例２の方法と類似するため、その具体的な実施は実施例２の方法の実施を参考してもよく、同様な内容について説明を省略する。
【０１３９】
図９は実施例４に係るリソース構成装置の構成を示す図である。図９に示すように、リソース構成装置９００は、第１構成部９０１を含む。
【０１４０】
第１構成部９０１は、各制御リソースセット又は各制御リソースセットグループに対応する１つ又は複数の追加リソースセットを構成する。
【０１４１】
本実施例では、該装置９００は、グループ分け部９０２及び第２構成部９０３をさらに含む。
【０１４２】
グループ分け部９０２は、ユーザ装置の全ての制御リソースセット、及び各制御リソースセットに対応する１つ又は複数の追加リソースセットを第１所定数のグループに分け、或いは、該ユーザ装置の全ての制御リソースセット、及び各制御リソースセットグループに対応する１つ又は複数の追加リソースセットを第１所定数のグループに分ける。
【０１４３】
第２構成部９０３は、該制御リソースセット及び追加リソースセットにおいて実行される動作を示す指示情報を構成する。
【０１４４】
ここで、該制御リソースセットにおける物理ダウンリンクチャネルを介して該指示情報を送信する。該指示情報は第２所定数のビットであり、該第２所定数は、該第１所定数に等しい。
【０１４５】
ここで、該第２所定数のビットにおける各ビットは、各制御リソースセット又は各制御リソースセットグループ、及び各制御リソースセット又は各制御リソースセットグループに対応するように構成された１つ又は複数の追加リソースセットの所在するグループにおける全てのリソースセットにおいて実行される動作をそれぞれ示す。
【０１４６】
本実施例では、第１構成部９０１、グループ分け部９０２及び第２構成部９０３の具体的な実施方式は実施例２のステップ５０１〜５０３を参照してもよく、ここでその説明を省略する。
【０１４７】
本実施例では、該装置は、第１送信部（図示せず）をさらに含んでもよい。
【０１４８】
第１送信部は、無線リソース制御シグナリングを介して、ユーザ装置に、構成された該追加リソースセットを通知する。
【０１４９】
ここで、該無線リソース制御シグナリングの情報要素は、各制御リソースセット又は各制御リソースセットグループの情報、及び各制御リソースセット又は各制御リソースセットグループに対応するように構成された１つ又は複数の追加リソースセットの情報を含む。
【０１５０】
ここで、該情報要素は、各制御リソースセット又は各制御リソースセットグループの所在するグループの第１グループインデックス、及び各制御リソースセット又は各制御リソースセットグループに対応するように構成された１つ又は複数の追加リソースセットの所在するグループの第１グループインデックスをさらに含んでもよい。
【０１５１】
該情報要素の具体的なフォーマットは実施例２を参照してもよく、ここでその説明を省略する。
【０１５２】
本実施例によれば、各制御リソースセット又は各制御リソースセットグループに対応する１つ又は複数の追加リソースセットを構成し、即ち制御リソースセット固有の追加リソースセットを構成することで、ダウンリンク制御情報のペイロード及びビットマップの長さを低減することができ、従来の問題を解決することができる。
【０１５３】
＜実施例７＞
本実施例は、上記リソース構成装置９００を含むネットワーク装置（図示せず）をさらに提供し、該リソース構成装置の構成及び機能は実施例６と同様であり、ここでその説明を省略する。
【０１５４】
本実施例７はネットワーク装置をさらに提供する。該装置の問題解決の原理は実施例２の方法と類似するため、その具体的な実施は実施例２の方法の実施を参考してもよく、同様な内容について説明を省略する。
【０１５５】
図１０は本発明の実施例のネットワーク装置を示す図である。図１０に示すように、ネットワーク装置１０００は、中央処理装置１００１（ＣＰＵ）及びメモリ１００２を含んでもよく、メモリ１００２は中央処理装置１００１に接続される。メモリ１００２は、各種のデータを記憶してもよいし、情報処理のプログラムをさらに記憶し、中央処理装置１００１の制御で該プログラムを実行し、関連情報を送信する。
【０１５６】
１つの態様では、リソース構成装置９００の機能は中央処理装置１００１に統合されてもよい。ここで。中央処理装置１００１は、実施例２に記載されたリソース構成方法を実現するように構成されてもよい。
【０１５７】
例えば、中央処理装置１００１は、各制御リソースセット又は各制御リソースセットグループに対応する１つ又は複数の追加リソースセットを構成するように構成されてもよい。
【０１５８】
ここで、中央処理装置１００１は、ユーザ装置の全ての制御リソースセット、及び各制御リソースセットに対応する１つ又は複数の追加リソースセットを第１所定数のグループに分け、或いは、該ユーザ装置の全ての制御リソースセット、及び各制御リソースセットグループに対応する１つ又は複数の追加リソースセットを第１所定数のグループに分けるように構成されてもよい。
【０１５９】
ここで、中央処理装置１００１は、該制御リソースセット及び該追加リソースセットにおいて実行される動作を示す指示情報を構成するように構成されてもよい。
【０１６０】
ここで、中央処理装置１００１は、無線リソース制御シグナリングを介して、ユーザ装置に、構成された該追加リソースセットを通知するように構成されてもよい。
【０１６１】
なお、中央処理装置１００１の他の構成方法は実施例２を参照してもよく、ここでその説明を省略する。
【０１６２】
もう１つの態様では、リソース構成装置９００は中央処理装置１００１とそれぞれ配置されてもよく、例えばリソース構成装置９００は中央処理装置１００１に接続されたチップであり、図１０に示す構成部は、中央処理装置１００１の制御によりリソース構成装置９００の機能を実現してもよい。
【０１６３】
また、図１０に示すように、ネットワーク装置１０００は、送受信機１００３及びアンテナ１００４などをさらに含んでもよい。上記部材の機能は従来技術と類似し、ここでその説明を省略する。なお、ネットワーク装置１０００は図１０に示す全てのユニットを含む必要がない。また、ネットワーク装置１０００は、図１０に示されていないユニットをさらに含んでもよく、従来技術を参照してもよい。
【０１６４】
本実施例によれば、各制御リソースセット又は各制御リソースセットグループに対応する１つ又は複数の追加リソースセットを構成し、即ち制御リソースセット固有の追加リソースセットを構成することで、ダウンリンク制御情報のペイロード及びビットマップの長さを低減することができ、従来の問題を解決することができる。
【０１６５】
＜実施例８＞
本実施例８はリソース決定装置をさらに提供する。該装置の問題解決の原理は実施例３の方法と類似するため、その具体的な実施は実施例３の方法の実施を参考してもよく、同様な内容について説明を省略する。
【０１６６】
図１１は本発明の実施例に係るリソース決定装置の構成を示す図である。図１１に示すように、リソース決定装置１１００は、第１決定部１１０１及び処理部１１０２を含む。
【０１６７】
第１決定部１１０１は、ネットワーク側により構成された各制御リソースセット又は各制御リソースセットグループに対応する１つ又は複数の追加リソースセットを決定する。
【０１６８】
処理部１１０２は、各制御リソースセット又は各制御リソースセットグループに対応する１つ又は複数の追加リソースセットにおいて対応する動作を実行する。
【０１６９】
本実施例では、該装置１１００は、第２決定部１１０３をさらに含んでもよい。
【０１７０】
第２決定部１１０３は、該制御リソースセットにおける物理ダウンリンクチャネルを検出し、各制御リソースセット又は各制御リソースセットグループ、及び各制御リソースセット又は各制御リソースセットグループに対応する１つ又は複数の追加リソースセットにおいて実行される動作を決定する。
【０１７１】
処理部１１０２は、該決定部により決定された動作に基づいて、該追加リソースセットにおいて対応する動作を実行する。
【０１７２】
本実施例では、第１決定部１１０１、処理部１１０２及び第２決定部１１０３の具体的な実施方式は実施例３のステップ６０１〜６０３を参照してもよく、ここでその説明を省略する。
【０１７３】
本実施例によれば、各制御リソースセット又は各制御リソースセットグループに対応する１つ又は複数の追加リソースセットを構成し、即ち制御リソースセット固有の追加リソースセットを構成することで、ダウンリンク制御情報のペイロードを低減することができ、従来の問題を解決することができる。
【０１７４】
＜実施例９＞
本実施例は、上記リソース決定装置１１００を含むネットワーク装置（図示せず）をさらに提供し、該リソース決定装置の構成及び機能は実施例８と同様であり、ここでその説明を省略する。
【０１７５】
本実施例９はユーザ装置をさらに提供する。該装置の問題解決の原理は実施例３の方法と類似するため、その具体的な実施は実施例３の方法の実施を参考してもよく、同様な内容について説明を省略する。
【０１７６】
図１２は、本発明の実施例に係るユーザ装置の構成を示す図である。図１２に示すように、ユーザ装置１２００は、中央処理装置（ＣＰＵ）１２０１及びメモリ１２０２を含んでもよく、メモリ１２０２は中央処理装置１２０１に接続される。メモリ１２０２は、各種のデータを記憶してもよいし、情報処理のプログラムをさらに記憶し、中央処理装置１２０１の制御で該プログラムを実行、関連情報を受信してもよい。
【０１７７】
１つの態様では、リソース決定装置１１００の機能は中央処理装置１２０１に統合されてもよい。ここで。中央処理装置１２０１は、実施例３に記載されたリソース決定方法を実現するように構成されてもよい。
【０１７８】
例えば、中央処理装置１２０１は、ネットワーク側により構成された各制御リソースセット又は各制御リソースセットグループに対応する１つ又は複数の追加リソースセットを決定し、各制御リソースセット又は各制御リソースセットグループに対応する１つ又は複数の追加リソースセットにおいて対応する動作を実行するように構成されてもよい。
【０１７９】
ここで、中央処理装置８０１は、該制御リソースセットにおける物理ダウンリンクチャネルを検出し、各制御リソースセット又は各制御リソースセットグループ、及び各制御リソースセット又は各制御リソースセットグループに対応する１つ又は複数の追加リソースセットにおいて実行される動作を決定し、決定された動作に基づいて、該追加リソースセットにおいて対応する動作を実行するように構成されてもよい。
【０１８０】
なお、中央処理装置１２０１の他の構成方法は実施例３を参照してもよく、ここでその説明を省略する。
【０１８１】
もう１つの態様では、リソース決定装置１１００は中央処理装置１２０１とそれぞれ配置されてもよく、例えばリソース決定装置１１００は中央処理装置１２０１に接続されたチップであり、図１２に示す構成部は、中央処理装置１２０１の制御によりリソース決定装置１１００の機能を実現してもよい。
【０１８２】
また、図１２に示すように、ユーザ装置１２００は、通信モジュール１２０３、入力部１２０４、ディスプレイ１２０６、音声処理部１２０５、アンテナ１２０７及び電源１２０８をさらに含んでもよい。上記部材の機能は従来技術と類似し、ここでその説明を省略する。なお、ユーザ装置１２００は図１２に示す全てのユニットを含む必要がない。また、ユーザ装置１２００は、図１２に示されていないユニットをさらに含んでもよく、従来技術を参照してもよい。
【０１８３】
本実施例によれば、各制御リソースセット又は各制御リソースセットグループに対応する１つ又は複数の追加リソースセットを構成し、即ち制御リソースセット固有の追加リソースセットを構成することで、ダウンリンク制御情報のペイロードを低減することができ、従来の問題を解決することができる。
【０１８４】
＜実施例１０＞
本実施例１０は通信システムを提供する。
【０１８５】
図１３は本実施例１０に係る通信システムを示す図である。図１３に示すように、通信システム１３００は、ネットワーク装置１３０１及びユーザ装置１３０２を含む。
【０１８６】
ここで、ネットワーク装置１３０１の具体的な実施方式は実施例５又は７におけるネットワーク装置８００又は１０００を参照してもよく、ユーザ装置１３０２の具体的な実施方式は実施例９におけるユーザ装置１２００を参照してもよく、ここでその内容を援用し、その説明を省略する。
【０１８７】
図１４は実施例１０に係るリソースの構成及び決定の方法のフローチャートである。図１４に示すように、該方法は以下のステップを含む。
【０１８８】
ステップ１４０１：制御リソースセットを構成し、各制御リソースセット又は各制御リソースセットグループに対応する１つ又は複数の追加リソースセットを構成する。
【０１８９】
ステップ１４０２：該制御リソースセット及び追加リソースセットにおいて実行される動作を示す指示情報を構成する。
【０１９０】
ステップ１４０３：構成された該追加リソースセットをユーザ装置に通知する。
【０１９１】
例えば、ＲＲＣシグナリングを介して該追加リソースセットの情報をキャリーし、その具体的な情報要素は実施例１を参照してもよく、ここでその説明を省略する。
【０１９２】
ステップ１４０４：ネットワーク側により構成されたＣＯＲＥＳＥＴ及び対応する追加リソースセットを決定する。
【０１９３】
ステップ１４０５：構成された制御リソースセットにおいてＰＤＣＣＨを検出し、各制御リソースセット及び対応する追加リソースセットにおいて実行される動作を決定する。
【０１９４】
ステップ１４０６：決定された動作に基づいて、各制御リソースセット及び対応する追加リソースセットにおいて対応する動作を実行する。
【０１９５】
本実施例では、ステップ１４０１〜１４０６の具体的な実施方式は実施例１におけるステップ２０１〜２０２及び実施例３におけるステップ６０３〜６０３を参照してもよく、重複する内容について説明を省略する。
【０１９６】
図１５は実施例１０に係るリソースの構成及び決定の方法のフローチャートである。図１５に示すように、該方法は以下ステップを含む。
【０１９７】
ステップ１５０１：制御リソースセットを構成し、各制御リソースセット又は各制御リソースセットグループに対応する１つ又は複数の追加リソースセットを構成する。
【０１９８】
ステップ１５０２：全ての制御リソースセット及び構成された全ての追加リソースセットを第１所定数のグループに分ける。
【０１９９】
ステップ１５０３：各リソースセットグループにおけるリソースセットにおいて実行される動作を示す指示情報を構成する。
【０２００】
ステップ１５０４：構成された該追加リソースセットをユーザ装置に通知する。
【０２０１】
例えば、ＲＲＣシグナリングを介して該追加リソースセットの情報をキャリーし、その具体的な情報要素は実施例２を参照してもよく、ここでその説明を省略する。
【０２０２】
ステップ１５０５：ネットワーク側により構成されたＣＯＲＥＳＥＴ及び対応する追加リソースセットを決定する。
【０２０３】
ステップ１５０６：構成された制御リソースセットにおいてＰＤＣＣＨを検出し、各リソースセットグループにおけるリソースセットにおいて実行される動作を決定し、各制御リソースセット及び対応する追加リソースセットにおいて実行される動作を決定する。
【０２０４】
ステップ１５０７：決定された動作に基づいて、各制御リソースセット及び対応する追加リソースセットにおいて対応する動作を実行する。
【０２０５】
本実施例では、ステップ１５０１〜１５０７の具体的な実施方式は実施例２におけるステップ５０１〜５０３及び実施例３におけるステップ６０３〜６０３を参照してもよく、重複する内容について説明を省略する。
【０２０６】
本実施例によれば、各制御リソースセット又は各制御リソースセットグループに対応する１つ又は複数の追加リソースセットを構成し、即ち制御リソースセット固有の追加リソースセットを構成することで、ダウンリンク制御情報のペイロードを低減することができ、従来の問題を解決することができる。
【０２０７】
本発明の実施例は、リソース構成装置又はネットワーク装置に、実施例１又は２に記載のリソース構成方法を実行させるためのコンピュータ読み取り可能なプログラムを記憶する、記憶媒体をさらに提供する。
【０２０８】
本発明の実施例は、リソース構成装置又はネットワーク装置においてプログラムを実行する際に、該リソース構成装置又はネットワーク装置に、実施例１又は２に記載のリソース構成方法を実行させる、コンピュータ読み取り可能なプログラムをさらに提供する。
【０２０９】
本発明の実施例は、リソース決定装置又はユーザ装置に、実施例３に記載のリソース決定方法を実行させるためのコンピュータ読み取り可能なプログラムを記憶する、記憶媒体をさらに提供する。
【０２１０】
本発明の実施例は、リソース決定装置又はユーザ装置においてプログラムを実行する際に、該リソース決定装置又はユーザ装置に、実施例３に記載のリソース決定方法を実行させる、コンピュータ読み取り可能なプログラムをさらに提供する。
【０２１１】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される際に、該ロジック部に上述した装置又は構成要件を実現させる、或いは該ロジック部に上述した各種の方法又はステップを実現させることができる。本発明は上記のプログラムを記憶するための記憶媒体、例えばハードディスク、磁気ディスク、光ディスク、ＤＶＤ、フラッシュメモリ等に関する。
【０２１２】
本発明の実施例を参照しながら説明した各装置における各処理方法は、ハードウェア、プロセッサにより実行されるソフトウェアモジュール、又は両者の組み合わせで実施されてもよい。例えば、図７〜図１３に示す機能的ブロック図における１つ若しくは複数、又は機能的ブロック図の１つ若しくは複数の組み合わせは、コンピュータプログラムフローの各ソフトウェアモジュールに対応してもよいし、各ハードウェアモジュールに対応してもよい。これらのソフトウェアモジュールは、図２、図５〜図６、図１４〜図１５に示す各ステップにそれぞれ対応してもよい。これらのハードウェアモジュールは、例えばフィールド・プログラマブル・ゲートアレイ（ＦＰＧＡ）を用いてこれらのソフトウェアモジュールをハードウェア化して実現されてもよい。
【０２１３】
ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、モバイルハードディスク、ＣＤ−ＲＯＭ又は当業者にとって既知の任意の他の形の記憶媒体に位置してもよい。プロセッサが記憶媒体から情報を読み取ったり、記憶媒体に情報を書き込むように該記憶媒体をプロセッサに接続してもよいし、記憶媒体がプロセッサの構成部であってもよい。プロセッサ及び記憶媒体はＡＳＩＣに位置してもよい。該ソフトウェアモジュールは移動端末のメモリに記憶されてもよいし、移動端末に挿入されたメモリカードに記憶されてもよい。例えば、機器（例えば移動端末）が比較的に大きい容量のＭＥＧＡ−ＳＩＭカード又は大容量のフラッシュメモリ装置を用いる場合、該ソフトウェアモジュールは該ＭＥＧＡ−ＳＩＭカード又は大容量のフラッシュメモリ装置に記憶されてもよい。
【０２１４】
図７〜図１３に記載されている機能的ブロック図における一つ以上の機能ブロックおよび／または機能ブロックの一つ以上の組合せは、本願に記載されている機能を実行するための汎用プロセッサ、デジタル信号プロセッサ（ＤＳＰ）、特定用途向け集積回路（ＡＳＩＣ）、フィールド・プログラマブル・ゲートアレイ（ＦＰＧＡ）又は他のプログラマブル論理デバイス、ディスクリートゲートまたはトランジスタ論理装置、ディスクリートハードウェアコンポーネント、またはそれらの任意の適切な組み合わせで実現されてもよい。図７〜図１３に記載されている機能的ブロック図における一つ以上の機能ブロックおよび／または機能ブロックの一つ以上の組合せは、例えば、コンピューティング機器の組み合わせ、例えばＤＳＰとマイクロプロセッサの組み合わせ、複数のマイクロプロセッサの組み合わせ、ＤＳＰ通信と組み合わせた１つ又は複数のマイクロプロセッサ又は他の任意の構成で実現されてもよい。
【０２１５】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び変更を行ってもよく、これらの変形及び変更も本発明の範囲内のものである。
【図１】
2020533844.tif 000006
【図２】
2020533844.tif 000007
【図３Ａ】
2020533844.tif 000008
【図３Ｂ】
2020533844.tif 000009
【図４】
2020533844.tif 000010
【図５】
2020533844.tif 000011
【図６】
2020533844.tif 000012
【図７】
2020533844.tif 000013
【図８】
2020533844.tif 000014
【図９】
2020533844.tif 000015
【図１０】
2020533844.tif 000016
【図１１】
2020533844.tif 000017
【図１２】
2020533844.tif 000018
【図１３】
2020533844.tif 000019
【図１４】
2020533844.tif 000020
【図１５】
2020533844.tif 000021
【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
リソース構成装置であって、
１つの制御リソースセットグループに対応する１つ又は複数のリソースセットを構成する制御部と、
前記リソースセットがデータ送信に利用可能であるか否かを示す指示情報を送信する送信部であって、前記指示情報は、所定数のビットを含む、送信部と、を含み、
前記指示情報における所定位置の１ビットは、１つの制御リソースセットグループに対応するように構成された１つ又は複数のリソースセットがデータ送信に利用可能であるか否かをそれぞれ示す、装置。
【請求項２】
前記制御部は、ユーザ装置の全ての制御リソースセット、及び前記１つの制御リソースセットグループに対応する１つ又は複数のリソースセットを第１所定数のグループに分ける、請求項１に記載の装置。
【請求項３】
前記送信部は、ユーザ装置に、構成情報を含む無線リソース制御シグナリングを送信し、
前記構成情報は、１つの制御リソースセットグループに対応する１つ又は複数のリソースセットの情報を含む、請求項１に記載の装置。
【請求項４】
前記無線リソース制御シグナリングの情報要素は、前記１つの制御リソースセットグループの情報、及び前記１つの制御リソースセットグループに対応するように構成された１つ又は複数のリソースセットの情報を含む、請求項３に記載の装置。
【請求項５】
前記情報要素は、前記１つの制御リソースセットグループの所在するグループの第１グループインデックス、及び前記１つの制御リソースセットグループに対応するように構成された１つ又は複数のリソースセットの所在するグループの第１グループインデックスをさらに含む、請求項４に記載の装置。
【請求項６】
前記制御リソースセットにおける物理ダウンリンクチャネルを介して前記指示情報を送信する、請求項１に記載の装置。
【請求項７】
前記所定数は、前記１つの制御リソースセットグループに対応するリソースセットの数に等しい、請求項１に記載の装置。
【請求項８】
リソース決定装置であって、
ネットワーク側により構成された１つの制御リソースセットグループに対応する１つ又は複数のリソースセットを決定する制御部と、
前記リソースセットがデータ送信に利用可能であるか否かを示す指示情報を受信する受信部であって、前記指示情報は、所定数のビットを含む、受信部と、を含み、
前記指示情報における所定位置の１ビットは、１つの制御リソースセットグループに対応するように構成された１つ又は複数のリソースセットがデータ送信に利用可能であるか否かをそれぞれ示す、装置。
【請求項９】
前記制御部は、前記制御リソースセットにおける物理ダウンリンクチャネルを検出し、前記１つの制御リソースセットグループに対応するように構成された１つ又は複数のリソースセットがデータ送信に利用可能であるか否かを決定し、
決定結果に基づいて、前記リソースセットにおいて対応する動作を実行する、請求項８に記載の装置。
【請求項１０】
リソース構成方法であって、
１つの制御リソースセットグループに対応する１つ又は複数のリソースセットを構成するステップと、
前記リソースセットがデータ送信に利用可能であるか否かを示す指示情報を送信するステップであって、前記指示情報は、所定数のビットを含む、ステップと、を含み、
前記指示情報における所定位置の１ビットは、１つの制御リソースセットグループに対応するように構成された１つ又は複数のリソースセットがデータ送信に利用可能であるか否かをそれぞれ示す、方法。
【請求項１１】
ユーザ装置の全ての制御リソースセット、及び前記１つの制御リソースセットグループに対応する１つ又は複数のリソースセットを第１所定数のグループに分けるステップ、をさらに含む、請求項１０に記載の方法。
【請求項１２】
ユーザ装置に、構成情報を含む無線リソース制御シグナリングを送信し、
前記構成情報は、１つの制御リソースセットグループに対応する１つ又は複数のリソースセットの情報を含む、請求項１０に記載の方法。
【請求項１３】
前記無線リソース制御シグナリングの情報要素は、前記１つの制御リソースセットグループの情報、及び前記１つの制御リソースセットグループに対応するように構成された１つ又は複数のリソースセットの情報を含む、請求項１２に記載の方法。
【請求項１４】
前記情報要素は、前記１つの制御リソースセットグループの所在するグループのグループインデックス、及び前記１つの制御リソースセットグループに対応するように構成された１つ又は複数のリソースセットの所在するグループのグループインデックスをさらに含む、請求項１３に記載の方法。
【請求項１５】
前記制御リソースセットにおける物理ダウンリンクチャネルを介して前記指示情報を送信する、請求項１０に記載の方法。
【国際調査報告】
2020533844.tif 000022
2020533844.tif 000023
2020533844.tif 000024
2020533844.tif 000025